(57)【要約】【課題】複数のシート積層体を埃やシート折れから保護しつつ、コンパクトで持ち運びが容易なディスペンサを提供する。【解決手段】本考案のディスペンサ１００は、複数のシート積層体２３を保持するためのディペンサであって、平板状の基材１１を備え、基材は、各々が基材の一方の面１２に少なくとも一つのシート積層体を直接又は間接に保持する複数の保持部１４ａ、１４ｂと、隣り合う保持部の間に形成され、基材の他方の面１３を外側に向けて基材を折畳むための第１のヒンジ部１５とを有する。【選択図】図１
0003191220.tif 000002
【実用新案登録請求の範囲】
【請求項１】
複数のシート積層体を保持するためのディペンサであって、
略平板状の基材を備え、
前記基材は、各々が前記基材の一方の面に少なくとも一つの前記シート積層体を直接又は間接に保持する複数の保持部と、隣り合う前記保持部の間に形成され、前記基材の他方の面を外側に向けて前記基材を折畳むための第１のヒンジ部とを有する、ディスペンサ。
【請求項２】
前記複数の保持部に個別に取付けられる複数の保持部材を備え、前記複数の前記保持部材の各々が前記シート積層体を保持する、請求項１に記載のディスペンサ。
【請求項３】
前記保持部材は、底部と、前記底部の両側部にそれぞれの一端縁が連結された弾性変形可能な２つの翼部とを備え、前記２つの翼部の他端縁が互いに対向してそれらの間に取出口が形成され、前記保持部材は、前記底部と前記２つの翼部との間に前記シート積層体を保持する、請求項２に記載のディスペンサ。
【請求項４】
前記基材は、前記保持部の両側部にそれぞれの一端縁が連結された弾性変形可能な２つの翼部を備え、前記２つの翼部の他端縁が互いに対向してそれらの間に取出口が形成され、前記保持部は前記２つの翼部と協動して前記シート積層体を保持する、請求項１に記載のディスペンサ。
【請求項５】
前記複数の保持部のそれぞれが略同一の形状を有する、請求項１から４の何れか一項に記載のディスペンサ。
【請求項６】
前記第１のヒンジ部は、前記基材の一方の側部から他方の側部まで延びる互いに平行な２本の折目線を含む、請求項１から５の何れか一項に記載のディスペンサ。
【請求項７】
前記基材が、複数の別体的に形成された保持部が前記第１のヒンジ部で回動可能に接続されることにより構成される、請求項１から５の何れか一項に記載のディスペンサ。
【請求項８】
前記基材を前記第１のヒンジ部で折り畳んだ状態を維持する固定部を備える、請求項１から７の何れか一項に記載のディスペンサ。
【請求項９】
前記固定部は、前記基材の一方の端部に形成された第２のヒンジ部と、前記第２のヒンジ部を介して前記基材の一方の端部に設けられる係合片と、前記係合片に形成された引掛片と、前記基材が折り畳まれたときに前記引掛片を挿入可能なよう前記基材に形成されたスリットとを有する、請求項８に記載のディスペンサ。
【請求項１０】
前記固定部は、前記基材の一方の端部に形成された第２のヒンジ部と、前記第２のヒンジ部を介して前記基材の一方の端部に設けられる係合片と、前記係合片に固着された第１の面ファスナと、前記基材が折り畳まれたときに前記第１の面ファスナに係合するよう前記基材の他方の面に固着された第２の面ファスナとを有する、請求項８に記載のディスペンサ。
【請求項１１】
前記固定部は、前記基材の一方の端部に形成された第２のヒンジ部と、前記第２のヒンジ部を介して前記基材の一方の端部に設けられる係合片と、前記係合片に塗布された剥離可能な粘着剤とを有する、請求項８に記載のディスペンサ。
【請求項１２】
前記固定部は、前記基材の一方の端部に形成された第２のヒンジ部と、前記第２のヒンジ部を介して前記基材の一方の端部に設けられる係合片と、前記係合片に貼付された剥離可能な両面テープとを有する、請求項８に記載のディスペンサ。
【請求項１３】
前記固定部は、前記基材が折り畳まれたときに、互いに向かい合うように位置する前記基材の他方の面うち何れか一方の他方の面又は両方の他方の面の一部に塗布された剥離可能な粘着剤を有する、請求項８に記載のディスペンサ。
【請求項１４】
前記固定部は、前記基材が折り畳まれたときに、互いに向かい合うように位置する前記基材の他方の面うち何れか一方の他方の面又は両方の他方の面の一部に貼付された剥離可能な両面テープを有する、請求項８に記載のディスペンサ。
【請求項１５】
前記固定部は、折り畳まれた前記基材の外面を覆う筒状のカバーを有する、請求項８に記載のディスペンサ。
【請求項１６】
前記筒状のカバーは、一方の端部が閉塞される、請求項１５に記載のディスペンサ。
【請求項１７】
前記筒状のカバーは、前記折り畳まれた基材を挿入する開口端において、前記筒状のカバーの軸線方向に対し所定の角度で斜めに切り欠かれた切欠部を有する、請求項１５又は１６に記載のディスペンサ。
【請求項１８】
前記基材はプラスチックで形成される、請求項１から１７の何れか一項に記載のディスペンサ。
【請求項１９】
前記基材は透過性材料により形成される、請求項１から１８の何れか一項に記載のディスペンサ。
【請求項２０】
前記基材は金属で形成される、請求項１から１７の何れか一項に記載のディスペンサ。
【考案の詳細な説明】
【技術分野】
【０００１】
本考案は、複数のシート積層体を保持するためのディスペンサに関する。
【背景技術】
【０００２】
特許文献１には、再剥離可能な粘着メモなどのテープ又はシートを繰り出すテープ又はシート用ディスペンサが記載されている。特許文献１のディスペンサは、図１１に示すように、底部１と、上記底部１の対向する２つの端縁それぞれに各一端縁が撓み可能に連結されかつ各他端縁が互いに対向して両他端縁間にテープフラッグ取出隙間４を形成する翼部２，２とを備えて大略偏平Ｃ字状をなすように構成されている。このディスペンサ内にジグザグ状に再剥離可能に互いに接着された見出し用テープの一例としてのテープフラッグ３，…，３を収納するようにして、テープフラッグ取出隙間４から一枚ずつテープフラッグ３を取り出すようにしている。
【０００３】
特許文献２には、携帯、取り外しに便利で多様な色彩の付箋紙を具えた付箋紙頁であって、板体と、複数の粘着性のフィルムセットとを含んでなり、該板体が、長い板上に形成され、長手方向に垂直な短い端縁部に形成された孔と、該端縁部を折り曲げて延伸して形成した挟持片とを含んでなり、該フィルムセットが、いずれも複数枚の透明で蛍光なフィルムを積み重ね、一部を板体上に粘着して固定、排列して設けてなる付箋紙頁、が記載されている。また、特許文献３には、複数のメモ用紙支持座と複数のメモ用紙束とにより構成されたメモ用紙フォルダーが記載されている。
【先行技術文献】
【特許文献】
【０００４】
【特許文献１】特開平７−１４９３８０号公報
【特許文献２】登録実用新案第３１６８２８８号公報
【特許文献３】登録実用新案第３１１０２５７号公報
【考案の概要】
【考案が解決しようとする課題】
【０００５】
複数のシート積層体を埃やシート折れから保護しつつ、コンパクトで持ち運びが容易なディスペンサが望まれている。
【課題を解決するための手段】
【０００６】
本考案の一態様は、複数のシート積層体を保持するためのディペンサであって、略平板状の基材を備え、前記基材は、各々が前記基材の一方の面に少なくとも一つの前記シート積層体を直接又は間接に保持する複数の保持部と、隣り合う前記保持部の間に形成され、前記基材の他方の面を外側に向けて前記基材を折畳むための第１のヒンジ部とを有する、ディスペンサである。
【考案の効果】
【０００７】
一態様のディスペンサは、シート積層体を保持する複数の保持部の間に形成した第１のヒンジ部で折畳むから、コンパクトで持ち運びが容易となる。また、折り畳まれたときに基材の他方の面が外側に向くので、シート積層体が埃やシート折れから保護される。
【図面の簡単な説明】
【０００８】
【図１】ディスペンサを示す図であり、図１（ａ）は基材を開いた状態を示す平面図、図１（ｂ）は正面図、図１（ｃ）は側面図、図１（ｄ）は基材を折り畳んだ状態を示す側面図である。
【図２】シート積層体を直接保持する保持部を有するディスペンサを示す平面図。
【図３】固定部を有するディスペンサを示す図であり、図３（ａ）は基材を開いた状態を示す斜視図、図３（ｂ）は基材を折り畳んだ状態を示す斜視図、図３（ｃ）は基材を折り畳んだ状態を示す側面図である。
【図４】ディスペンサの固定部の別例を示す図であり、図４（ａ）は面ファスナを用いた図、図４（ｂ）は接着剤を用いた図である。
【図５】ディスペンサの別例を示す図であり、図５（ａ）は平面図、図５（ｂ）は基材を折り畳んだ状態を示す側面図である。
【図６】各保持部に複数の保持部材を排列して取り付けたディスペンサを示す図であり、図６（ａ）は２つの保持部材が取付けられた保持部を２つ有するディスペンサを示す図であり、図６（ｂ）は、２つの保持部材が取付けられた保持部を３つ有するディスペンサを示す図である。
【図７】翼部を備える保持部を有するディスペンサを示す図である。
【図８】筒状のカバーを有するディスペンサを示す図あり、図８（ａ）は折り畳まれた基材をカバーに収容した状態を示す透視図、図８（ｂ）は側面図、図８（ｃ）は基材を開いた状態を示す透視図である。
【図９】筒状のカバーを有するディスペンサの別例を示す図あり、図９（ａ）はカバーに収容した状態を示す透視図、図９（ｂ）は側面図、図９（ｃ）はディスペンサを開いた状態を示す透視図である。
【図１０】ヒンジ部の他の例を示す図である。
【図１１】従来のディスペンサ（保持部材）を示す斜視図である。
【考案を実施するための形態】
【０００９】
図１に示すディスペンサ１００は、平板状の基材１１と、２つの保持部材２０ａ、２０ｂ（以下、複数の保持部材２０ａ、２０ｂをまとめて保持部材２０と称する場合がある）とを備える。基材１１はその一方の面１２に、保持部材２０ａ、２０ｂが排列され取付けられた２つの保持部１４ａ、１４ｂ（以下、複数の保持部１４ａ、１４ｂをまとめて保持部１４と称する場合がある）を有し、その２つの隣り合う保持部１４ａと保持部１４ｂとの間に第１のヒンジ部１５が形成される。保持部材２０ａは、その底部２１が保持部１４ａに接着剤や両面テープ等により接着され、保持部材２０ｂは、その底部２１が保持部１４ｂに接着剤や両面テープ等により接着される（図１（ｂ）参照）。
【００１０】
図１に示す保持部材２０ａ、２０ｂは、上述した特許文献１に記載されるディスペンサと同じ構造を有し、再剥離可能な粘着メモを一枚ずつ繰り出すことができる。具体的には、保持部材２０ａは、底部２１と、その底部２１の両側部にそれぞれの一端縁が連結された弾性変形可能な２つの翼部２２ａ、２２ｂを備える。２つの翼部２２ａ、２２ｂの他端縁が互いに対向してそれらの間に取出口２５が形成され、底部２１と２つの翼部２２ａ、２２ｂとの間にシート積層体２３を保持する。保持部材２０ａは図１（ｂ）に示すよう、略偏平なＣ字形状に形成される。シート積層体２３は、例えば粘着メモ等のシートを複数枚積層したもので、ジグザグ状に再剥離可能に互いに接着される。保持部材２０ａは最上部のシート２３ａを、翼部２２ａ、２２ｂの対向する両他端縁間に形成される取出口２５から取り出すことができるようになっている。保持部材２０ｂも同じ構造である。図示する保持部材２０ａ、２０ｂはそれぞれ異なる色を有するシート積層体２３をそれぞれ２つ保持し収納している。なお、保持部材２０ａ、２０ｂに保持されるシート積層体２３はこれに限らず、一方の端部で再剥離可能に接着された粘着メモを複数枚積層したシート積層体であってもよい。
【００１１】
ディスペンサ１００は、図１（ｃ）に示すように保持部１４ａを、第１のヒンジ部１５を中心に矢印Ａ方向に回動させ、図１（ｄ）に示すように保持部材２０ａの最上面を、保持部材２０ｂの最上面に対向させるように折り畳むことが可能となっている。折り畳まれた場合、図１（ｄ）に示すように、基材１１の一方の面１２の反対に位置する他方の面１３が、ディスペンサ１００の外側に向けられる。そのため、折り畳まれた状態では保持部材２０ａ、２０ｂは外部に直接晒されず、その中に収納されるシート積層体２３のシートは埃やシートの折れから保護されるようになる。また、折り畳まれた状態ではディスペンサ１００の横幅Ｗ２が広げた状態の横幅Ｗ１より小さくなるため、ペンケース等に収納しやすい。
【００１２】
第１のヒンジ部１５は、基材１１の側部１１ａから１１ｂまで延びる２本の折目線１６ａ、１６ｂにより形成される。折目線１６ａ、１６ｂの間隔Ｄ１は、少なくとも保持部材２０ａ、２０ｂの厚さＴ１、Ｔ２を加えた長さ以上となる（図１（ｄ）参照）。なお、本実施形態では２本の折目線により第１のヒンジ部１５を形成しているが、第１のヒンジ部の構成はこれに限定されず、例えば第１のヒンジ部１５を円弧状に曲げるだけでもよい（図１０（ａ）参照）。この場合、第１のヒンジ部１５を布や紙等により形成してもよい。また、それぞれの保持部１４ａ、１４ｂの側部において所定の角度で折り曲げた折曲部１７ａ、１７ｂを形成し、折曲部の端部を一本の折目線１６ｃで連結してもよく、折曲部の端部を蝶番のように機械的に接続してもよい（図１０（ｂ）参照）。
【００１３】
図示実施形態の、２つの保持部１４ａと保持部１４ｂとは略同じ寸法で形成される。また、保持部１４ａ、１４ｂの大きさはそれぞれが保持するシート積層体の形や数量によって決定される。保持部１４ａと保持部１４ｂとは、その大きさや形が互いに異なってもよい。
【００１４】
ディスペンサ１００の基材１１を構成する保持部１４ａ、１４ｂおよび第１のヒンジ１５は、一体的に形成されてもよく、また、個別に形成された保持部１４ａ、１４ｂが、第１のヒンジ１５で回動可能に接続されてもよい。ディスペンサ１００の基材１１及び保持部材２０ａ、２０ｂの底部２１、翼部２２ａ、２２ｂの材質としては特に限定されず、どのような材料を用いてもよいが、強度、成型性、軽量性、コスト等を考慮するとポリプロピレン、ポリエチレンテレフタレート、ポリスチレン、ＰＶＣ、ＡＢＳ等のプラスチックや、紙等が好ましい。また、より強度を求める場合には、基材１１をアルミ、ステンレス、鉄等の金属を用いて作製することもできる。
【００１５】
また、ディスペンサ１００の基材１１は透過性材料により形成される。基材１１が、透過性材料により形成されることで、折り畳まれた状態でもシート積層体２３の残量や色の種類が分かる。なお、図１に示すディスペンサ１００は、保持部材２０を介してシート積層体２３を間接的に保持していたが、図２に示すディスペンサ１０１のように、各保持部１４ａ、１４ｂにシート積層体２３の最下端を接着剤や両面テープ等で固着することで、各保持部１４ａ、１４ｂが直接シート積層体２３を保持するようにしてもよい。
【００１６】
図３にディスペンサの別例を示す。図３に示すディスペンサ１０２はさらに固定部３０を備える。固定部３０を備えることで、ディスペンサ１０２が折り畳まれた状態が維持され、ディスペンサ１０２の意図しない広がりが防止される。
【００１７】
図３に示すディスペンサ１０２の固定部３０は、基材１１の一方の端部１１ｃに設けられた第２のヒンジ部３３と、第２のヒンジ部３３を介して基材１１の一方の端部１１ｃ設けられる係合片３１と、係合片３１に形成された引掛片３２と、基材１１が折り畳まれたときに引掛片３２を挿入可能なよう基材１１に形成されたスリット３４とを有する。図示実施形態では、スリット３４は、保持部１４ａに形成される（図３（ｂ）参照）。保持部１４ａを、第１のヒンジ部１５を中心に、矢印Ａ方向に回動させ折り曲げた後、係合片３１を、第２のヒンジ部３３を中心に図３（ａ）の矢印Ｃ方向に回動させ、係合片３１を保持部１４ａの他方の面１３に合わせ引掛片３２をスリット３４に挿入する。引掛片３２が、スリット３４に引っ掛かり、ディスペンサ１０２の基材１１が折り畳まれた状態を維持することができる。
【００１８】
図示実施形態の固定部３０による固定方法は一例であり、これ以外の固定方法であってもよく、その方法は限定されない。例えば、図４（ａ）に示すディスペンサ１０４のように、係合片３１に第１の面ファスナ３７を設け、保持部１４ａの他方の面１３に第２の面ファスナ３８を設け、基材１１を折り畳んだとき、第１の面ファスナ３７と第２の面ファスナ３８が係合するようにしてよい。第１の面ファスナ３７及び第２の面ファスナ３８は、ボタン、フック、磁石等であってもよい。また、図４（ｂ）に示すディスペンサ１０５のように、係合片３１の一部に剥離可能な接着剤３９を塗布して、基材１１を折り畳んだとき、係合片３１を保持部１４ａの他方の面１３に接着して固定してよい。また、接着剤３９に代えて、剥離可能な両面テープを貼付してもよい。
【００１９】
図示実施形態の係合片３１は基材１１と一体的に形成されており、同じ材料、例えば同じプラスチックや紙で形成される。また、係合片３１も透過性材料により形成されてよい。係合片３１は別の部材として形成されてもよく、接着や溶着により基材１１に取付けられてもよい。係合片３１を別の部材として形成する場合、係合片３１をアルミ、ステンレス、鉄等の金属を用いて作製してよく、第２のヒンジ部３３において蝶番等による機械的接続により回動可能に係合片３１を基材１１に接続してもよい。
【００２０】
図５のディスペンサ１０６は、図３に示すディスペンサ１０２と同様、保持部１４ａ、１４ｂと備え、その間に第１のヒンジ部１５ａが設けられている。ディスペンサ１０６はさらに保持部１４ｃを備え、隣接する保持部１４ｂと保持部１４ｃとの間に、第１のヒンジ部１５ｂを備える。保持部１４ｃには、第２のヒンジ部３３を介して基材１１の端部に係合片３１が設けられる。各保持部１４ａ〜ｃには保持部材２０ａ〜ｃが取付けられる。また、係合片３１に引掛片３２が形成され、ディスペンサ１０６の基材１１が折り畳まれたとき、引掛片３２が保持部１４ｂに形成されたスリット３４に挿入される。
【００２１】
第１のヒンジ部１５ａ、１５ｂ及び第２のヒンジ部３３は、２つの折目線１６ａ、１６ｂから形成される。図５に示す実施形態では、第１のヒンジ部１５ｂ、は２つの折目線１６ａ、１６ｂの間の距離Ｄ２は、３つの保持部２０ａ〜２０ｃの厚さＴ１〜Ｔ３を合計した長さ以上の大きさとなる。また、第２のヒンジ部３３の２つの折目線１６ａ、１６ｂの間の距離Ｄ３は、距離Ｄ２の長さ以上の大きさになる。
【００２２】
図５（ｂ）に示すように、ディスペンサ１０６は、保持部材２０ａの最上面が保持部材２０ｂの最上面に対向するよう折り畳まれた後、保持部材２０ｃが保持部１４ａに重なるよう折り畳まれる。さらに、保持部材２０ｂを保持する保持部１４ｂに係合片３１が配置され、引掛片３２がスリット３４に挿入され、基材１１の折り畳み状態が維持される。
【００２３】
図１〜図５に示すディスペンサは、各保持部１４に一つの保持部材を配置しているが、図６（ａ）に示すディスペンサ１０７のように保持部１４ａ，１４ｂに２つ以上の保持部材を排列し取り付けてもよい。図６（ａ）では、保持部材２０ａと保持部材２０ｃとを組にして、それぞれの短辺が向き合うよう保持部１４ａに図の縦方向（矢印Ｅ方向）に排列し、また、保持部材２０ｂ、２０ｄとを組にして、保持部材２０ａと保持部材２０ｃと同様、保持部１４ｂに図の縦方向に排列している。この配置は一例であり、保持部材２０ａと保持部材２０ｃとを組にして、それぞれの長辺が向き合うよう保持部１４ａに図の横方向（矢印Ｆ方向）に排列し、保持部材２０ｂ、２０ｄも同様に保持部１４ｂに図の横方向に排列してもよい。また、図６（ｂ）に示すディスペンサ１０８のように、複数の保持部材２０が取付けられた保持部１４を３つ以上備えてもよい。
【００２４】
図１、３〜６に示すディスペンサ１００、１０２〜１０８は、別部品として作製された保持部材２０を保持部１４のそれぞれに取り付けていたが、図７に示すディスペンサ１０９は、基材１１が、各保持部１４の両側部１１ａ、１１ｂにそれぞれの一端縁が連結された２つの弾性変形可能な翼部３５ａ、３５ｂを備え、内側にそれらを折り曲げて、２つの翼部３５ａ、３５ｂの他端縁が互いに対向してそれらの間に取出口３６が形成される。また、保持部１４は、２つの翼部３５ａ、３５ｂと協働してシート積層体２３を保持する。直接シート積層体２３の最下面を保持部１４に接着し保持している。基材１１の両側部１１ａ、１１ｂに翼部３５ａ、３５ｂを直接取付けることで、部品数を減らし、保持部材を基材に固着する工程を省くことができる。
【００２５】
図３〜７に示すディスペンサ１０２〜１０９では、折り畳まれた状態を維持するために、基材１１の側部に固定部３０を取り付けていたが、図８に示すように、固定部を別部材としてもよい。図８に示すディスペンサ１１０の固定部３０は、基材１１が、図８（ｂ）にように折り畳まれた状態で、基材１１の外面を覆う筒状のカバー４１を有する。シート積層体２３を使用しない場合は、基材１１を折畳み、カバー４１に挿入する。また、シート積層体２３を使用するときは、カバー４１から基材１１を取り出して開く。
【００２６】
図８に示すディスペンサ１１０は、４つの保持部材２０ｅ〜２０ｈを備え、基材１１は保持部材２０ｅ〜２０ｈがそれぞれ取付けられた保持部１４ｅ〜１４ｈを備える。隣接する保持部の間に第１のヒンジ部１５ｅ〜１５ｇを備える。
【００２７】
図８に示すディスペンサ１１０では、図８（ｂ）に示すように、保持部材２０ｅと保持部材２０ｆの最上面が対向するよう、また、保持部材２０ｇと保持部材２０ｈの最上面が対向するよう第１のヒンジ部１５ｅ、１５ｇは谷折りに折り曲げられる。一方、保持部材２０ｆと保持部材２０ｇとの間の第１のヒンジ部１５ｆは山折りに折り曲げられ、基材１１は全体としてＷ字形状に折り曲げられる。
【００２８】
図９にディスペンサの別例を示す。図８に示すディスペンサ１１０と同様に、基材１１の折り畳まれた状態を維持するために、筒状のカバー４２を有する固定部３０を備える。図９に示すカバー４２は、カバー４２に挿入された基材１１を取り出しやすいよう、筒状のカバー４２の軸線方向に対し所定の角度で斜めに切り欠かれた切欠部４３を有する。指で基材１１に直接接触し、基材１１を移動させることでカバー４２から基材１１を取り出すことができる。カバー４２の取り出しを容易にする切欠部４３は一例であり、カバー４２の側面の一部に長穴を形成することで基材１１をカバー４２から取り出しやすくしてもよい。
【００２９】
図９に示す基材１１は、図８に示す基材１１と同様、４つの保持部材２０ｅ〜２０ｈを保持するが、Ｗ字形状に折り畳まれる図８の基材１１と異なり、図９（ｂ）に示すよう、折り畳まれた保持部１４ｅ、１４ｆと、保持部１４ｇ、１４ｈと、をさらに内側に折り畳み、谷折り可能に構成される。
【００３０】
この場合、基材１１を折り畳んだとき、保持部１４ｅの他方の面１３ｅと保持部１４ｈの他方の面１３ｈとが互いに向かうように位置する。そのため、固定部３０として保持部１４ｅ及び保持部１４ｈに係る基材１１の他方の面１３ｅ、１３ｈのうち何れか一方の他方の面又は両方の面の一部に剥離可能な接着剤５０を塗布し、折り畳まれたときに他方の面１３ｅ、１３ｈを貼り合わせ、折り畳まれた状態を維持できるようにしてもよい。また、接着剤５０に代えて、剥離可能な両面テープを貼付してもよい。
【００３１】
また、図８及び９に示す筒状のカバー４１、４２は、一方の端部が、折り畳まれた基材１１を挿入するよう開口しているが、他方の端部は閉塞されている。これにより他方の端部から基材１１が抜け出ることを防止する。他方の端部は開口されてもよい。
【００３２】
また、図１及び図２に示すディスペンサ１００及び１０１を筒状のカバー４０、４２を用いて固定してもよい。
【００３３】
以上、本実施形態によるディスペンサについて、図を参照することにより説明した。なお、図２〜９に示すディスペンサ１０１〜１０９の基材１１及び保持部材２０、係合片３１、筒状のカバー４０、４２は、図１に示すディスペンサ１００の基材１１及び保持部材２０と同様、ポリプロピレン、ポリエチレンテレフタレート、ポリスチレン、ＰＶＣ、ＡＢＳ等のプラスチックや、紙等、またはアルミ、ステンレス、鉄等の金属からから作製されてよい。また、図２〜９に示すディスペンサ１０１〜１０９の基材１１は透過性材料により形成されてよい。また、図７に示すディスペンサ１０９が有する翼部３５ａ、３５ｂの構造は、図１〜２、４〜６、８〜１０に示すディスペンサにも適用することができる。また、図２に示すディスペンサ１０１のように、図３〜６、８〜１０に示すディスペンサは、基材１１の各保持部１４に直接シート積層体２３を保持してもよい。また、図１０に示す第１のヒンジ部の構造は、図２〜図９に示すディスペンサ１０１〜１１１の第１のヒンジ部１５に適用してもよく、図３〜図７に示すディスペンサ１０９の第２のヒンジ部３３に適用することもできる。
【００３４】
本実施形態の保持部材は、１つ又は２つのシート積層体を備えていたが、各保持部材が３つ以上のシート積層体を備えてもよく、また、複数のシート積層体はそれぞれ異なる色を有してもよい。
【符号の説明】
【００３５】
１００、１０１、１０２、１０４、１０５、１０６、１０７、１０８、１０９、１１０、１１１    ディスペンサ
１１    基材
１２    一方の面
１３    他方の面
１４、１４ａ〜１４ｈ    保持部
１５、１５ａ〜１５ｇ    第１のヒンジ部
１６ａ、１６ｂ    折目線
２０、２０ａ〜２０ｈ    保持部材
２１    底部
２２a、２２ｂ、３５ａ、３５ｂ    翼部
２３    シート積層体
２５、３６    取出口
３０    固定部
３１    係合片
３２    引掛片
３３    第２のヒンジ部
３４    スリット
４１、４２    カバー
４３    切欠部
【図１】
0003191220.tif 000003
【図２】
0003191220.tif 000004
【図３】
0003191220.tif 000005
【図４】
0003191220.tif 000006
【図５】
0003191220.tif 000007
【図６】
0003191220.tif 000008
【図７】
0003191220.tif 000009
【図８】
0003191220.tif 000010
【図９】
0003191220.tif 000011
【図１０】
0003191220.tif 000012
【図１１】
0003191220.tif 000013